(57)【特許請求の範囲】
【請求項１】
扱胴を有し、刈取穀稈の全稈が投入されてその刈取穀稈を脱穀する脱穀部と、前記脱穀部の下方に設けられ、前記脱穀部が刈取穀稈を脱穀することで得られた穀粒を選別する選別部と、を有する脱穀装置と、
前記脱穀装置の横隣に設けられ、前記選別部によって選別された二番物を前記選別部に還元する二番還元装置と、
前記脱穀部における前記二番還元装置が位置する側の横側壁のうち、前記扱胴の前側部分に隣接する部分に形成され、前記二番還元装置からの二番物が通過する開口部と、
前記二番還元装置の搬送終端部及び前記開口部に接続され、前記二番還元装置からの二番物を前記開口部に向けて案内するガイド部材と、を備え、
前記ガイド部材は、前記開口部に対して着脱可能に構成され、
前記ガイド部材は、前記二番還元装置の搬送終端部の前方に配置され、
前記ガイド部材は、平面視で前側ほど前記横側壁に近付くように傾斜する傾斜部を有し、
前記傾斜部における前後両側の縁部に、折れ曲がり部が夫々形成され、
前側の前記折れ曲がり部は、前記横側壁に対して垂直又は略垂直な方向から締結する締結具によって、取り外し可能に締結され、
後側の前記折れ曲がり部は、前記横側壁に対して平行又は略平行な方向から締結する締結具によって、取り外し可能に締結されているコンバイン。
【請求項２】
前記ガイド部材の縁部に、前記開口部の縁部に差し込まれることによって、前記横側壁のうち前記開口部の縁部に沿う部分に係止する係止部が設けられている請求項１に記載のコンバイン。
【請求項３】
前記ガイド部材の縁部に、折れ曲がり部が形成され、
前記折れ曲がり部は、前記横側壁に面合せされた状態で締結具によって取り外し可能に締結されている請求項１又は２に記載のコンバイン。
【請求項４】
前記ガイド部材の上縁部に、前記開口部の上縁部に差し込まれることによって、前記横側壁のうち前記開口部の上縁部に沿う部分に係止する係止部が設けられ、
前記ガイド部材の下縁部に、折れ曲がり部が形成され、
前記折れ曲がり部は、前記横側壁に面合せされた状態で締結具によって取り外し可能に締結されている請求項１に記載のコンバイン。
【発明の詳細な説明】
【技術分野】
【０００１】
本発明は、コンバインに関する。
【背景技術】
【０００２】
従来、コンバインとして、例えば、特許文献１に記載のコンバインが知られている。特許文献１に記載のコンバインには、刈取穀稈を脱穀する脱穀部（文献では「脱穀部〔Ａ〕」）と、脱穀部の下方に設けられ、脱穀部が刈取穀稈を脱穀することで得られた穀粒を選別する選別部（文献では「選別部〔Ｂ〕」）と、を有する脱穀装置（文献では「脱穀機〔Ｄ〕」）が備えられている。
【先行技術文献】
【特許文献】
【０００３】
【特許文献１】特開２００６−１４７０８号公報
【発明の概要】
【発明が解決しようとする課題】
【０００４】
特許文献１に記載のコンバインでは、脱穀部の内部のメンテナンスを行う際に、脱穀部の内部へのアクセスを容易に行う点で改善の余地がある。
【０００５】
上記状況に鑑み、脱穀部の内部を容易にメンテナンス可能なコンバインが要望されている。
【課題を解決するための手段】
【０００６】
本発明の特徴は、扱胴を有し、刈取穀稈の全稈が投入されてその刈取穀稈を脱穀する脱穀部と、前記脱穀部の下方に設けられ、前記脱穀部が刈取穀稈を脱穀することで得られた穀粒を選別する選別部と、を有する脱穀装置と、前記脱穀装置の横隣に設けられ、前記選別部によって選別された二番物を前記選別部に還元する二番還元装置と、前記脱穀部における前記二番還元装置が位置する側の横側壁のうち、前記扱胴の前側部分に隣接する部分に形成され、前記二番還元装置からの二番物が通過する開口部と、前記二番還元装置の搬送終端部及び前記開口部に接続され、前記二番還元装置からの二番物を前記開口部に向けて案内するガイド部材と、を備え、前記ガイド部材は、前記開口部に対して着脱可能に構成され、前記ガイド部材は、前記二番還元装置の搬送終端部の前方に配置され、前記ガイド部材は、平面視で前側ほど前記横側壁に近付くように傾斜する傾斜部を有し、前記傾斜部における前後両側の縁部に、折れ曲がり部が夫々形成され、前側の前記折れ曲がり部は、前記横側壁に対して垂直又は略垂直な方向から締結する締結具によって、取り外し可能に締結され、後側の前記折れ曲がり部は、前記横側壁に対して平行又は略平行な方向から締結する締結具によって、取り外し可能に締結されていることにある。
【０００７】
本特徴構成によれば、ガイド部材を開口部から取り外すことにより、開口部が脱穀装置の横方に露出することになる。これにより、脱穀装置の横方において、開口部から脱穀部の内部のメンテナンスを行うことができる。すなわち、本特徴構成によれば、脱穀部の内部を容易にメンテナンス可能なコンバインを実現することができる。
本特徴構成によれば、二番還元装置からの二番物が傾斜部に沿って流れることになる。これにより、二番物が選別部の左右一方側部分に偏った状態で還元されることがないように、二番物を選別部の左右中央部に向けて案内することができる。また、ガイド部材が締結具によって二方向から締結されることになる。これにより、二番還元装置からの二番物がガイド部材に衝突してガイド部材が一方向に外れようとしても、ガイド部材が外れ難い。
【０００８】
さらに、本発明において、前記ガイド部材の縁部に、前記開口部の縁部に差し込まれることによって、前記横側壁のうち前記開口部の縁部に沿う部分に係止する係止部が設けられていると好適である。
【０００９】
本特徴構成によれば、係止部を開口部の縁部に差し込んだり、開口部の縁部から引き抜いたりすることにより、ガイド部材の着脱を容易に行うことができる。
【００１０】
さらに、本発明において、前記ガイド部材の縁部に、折れ曲がり部が形成され、前記折れ曲がり部は、前記横側壁に面合せされた状態で締結具によって取り外し可能に締結されていると好適である。
【００１１】
本特徴構成によれば、折れ曲がり部を横側壁に面合せした状態で締結具によって締結することにより、ガイド部材を横側壁にしっかりと取り付けることができる。
【００１２】
さらに、本発明において、前記ガイド部材の上縁部に、前記開口部の上縁部に差し込まれることによって、前記横側壁のうち前記開口部の上縁部に沿う部分に係止する係止部が設けられ、前記ガイド部材の下縁部に、折れ曲がり部が形成され、前記折れ曲がり部は、前記横側壁に面合せされた状態で締結具によって取り外し可能に締結されていると好適である。
【００１３】
本特徴構成によれば、係止部を開口部の縁部に差し込んだり、開口部の縁部から引き抜いたりすることにより、ガイド部材の着脱を容易に行うことができる。また、折れ曲がり部を横側壁に面合せした状態で締結具によって締結することにより、脱穀処理物がガイド部材の下縁部と横側壁との間から外部に漏れ出るのを防止することができる。
【図面の簡単な説明】
【００１６】
【図１】コンバインを示す左側面図である。
【図２】コンバインを示す平面図である。
【図３】脱穀装置の内部を示す左側面図である。
【図４】脱穀装置を示す右側面図である。
【図５】ガイド部材を示す平面一部断面図である。
【図６】ガイド部材を示す平面図である。
【図７】ガイド部材を示す分解右側面図である。
【図８】ガイド部材を示す背面図である。
【発明を実施するための形態】
【００１７】
本発明を実施するための形態について、図面に基づき説明する。なお、以下の説明では、矢印Ｆの方向を「機体前側」、矢印Ｂの方向を「機体後側」、矢印Ｌの方向を「機体左側」、矢印Ｒの方向を「機体右側」とする。
【００１８】
〔コンバインの全体構成〕
図１及び図２には、全稈投入型コンバイン（本発明に係る「コンバイン」に相当）を示している。本コンバインには、走行機体１が備えられている。走行機体１には、機体フレーム２と、クローラ走行装置３と、が備えられている。走行機体１の前方には、植立穀稈を刈り取る刈取部４が設けられている。刈取部４には、植立穀稈を掻き込む掻込リール５と、植立穀稈を切断する刈刃６と、刈取穀稈を掻き込む掻込オーガ７と、が備えられている。
【００１９】
刈取穀稈の全稈を脱穀処理する脱穀装置８が設けられている。刈取部４と脱穀装置８とに亘って、刈取穀稈を脱穀装置８に向けて搬送するフィーダ９が設けられている。脱穀装置８の右方には、脱穀処理によって得られた穀粒を貯留する穀粒タンク１０が脱穀装置８と横並びに設けられている。穀粒タンク１０は、上下方向に沿って延びる揺動軸心Ｚ１周りで揺動開閉可能に構成されている。穀粒タンク１０内の穀粒を排出する穀粒排出装置１１が設けられている。穀粒タンク１０の前方には、運転部Ｄが設けられている。
【００２０】
〔脱穀装置〕
図３及び図４に示すように、脱穀装置８には、刈取穀稈を脱穀する脱穀部１２と、脱穀部１２の下方に設けられ、脱穀部１２が刈取穀稈を脱穀することで得られた穀粒を選別する選別部１３と、が備えられている。脱穀部１２には、機体前後方向に沿って延びる回転軸心Ｙ１周りで回転可能な扱胴１４と、扱胴１４が設けられる扱室１５と、脱穀処理物を漏下する受網１６と、が備えられている。
【００２１】
選別部１３には、脱穀処理物を揺動選別する揺動選別装置１７と、脱穀処理物に選別風を送風する唐箕１８と、一番物（単粒化穀粒等）を回収する一番回収部１９と、二番物（枝梗付き穀粒等）を回収する二番回収部２０と、が備えられている。一番回収部１９には、一番物を右方に向けて搬送する一番横スクリュ２１が備えられている。二番回収部２０には、二番物を右方に向けて搬送する二番横スクリュ２２が備えられている。
【００２２】
脱穀装置８の横隣（右隣）には、選別部１３によって選別された一番物を穀粒タンク１０に向けて搬送する一番縦搬送装置２３と、選別部１３によって選別された二番物を選別部１３に還元する二番還元装置２４と、が設けられている。一番横スクリュ２１からの一番物は、一番縦搬送装置２３によって上方に向けて搬送されて穀粒タンク１０に貯留されることになる。二番横スクリュ２２からの二番物は、二番還元装置２４によって上方に向けて搬送されて二番還元装置２４の搬送終端部から放出されて揺動選別装置１７の前部に還元されることになる。
【００２３】
脱穀部１２の右側部には、右側壁２５（本発明に係る「横側壁」に相当）、上フレーム２６、下フレーム２７及び縦フレーム２８が設けられている。右側壁２５の上縁部は、上フレーム２６に支持されている。右側壁２５の下縁部は、下フレーム２７に支持されている。縦フレーム２８は、右側壁２５の上縁部と右側壁２５の下縁部とに亘って上下方向に沿って延びている。
【００２４】
脱穀部１２における二番還元装置２４が位置する側の横側壁（右側壁２５）には、二番還元装置２４からの二番物が通過する開口部２５ａが形成されている。開口部２５ａは、側面視において、略矩形状（具体的には、前後方向に長い長方形状）に形成され、かつ、一番縦搬送装置２３と重複している。
【００２５】
図３から図５に示すように、二番還元装置２４からの二番物を開口部２５ａに向けて案内するガイド部材２９が設けられている。ガイド部材２９は、二番還元装置２４の搬送終端部及び開口部２５ａに接続されている。ガイド部材２９は、二番還元装置２４の搬送終端部の前方に側面視で一番縦搬送装置２３と重複する状態で配置されている。
【００２６】
二番還元装置２４の搬送終端部とガイド部材２９との間には、縦壁３０が設けられている。縦壁３０は、右側壁２５の上縁部と右側壁２５の下縁部とに亘って上下方向に沿って延びている。縦壁３０は、右側壁２５から右方に向かって張り出す状態で右側壁２５に支持されている。縦壁３０には、二番還元装置２４の搬送終端部とガイド部材２９の内部とを連通接続するための開口部３０ａ（図８参照）が形成されている。二番還元装置２４の搬送終端部とガイド部材２９の内部とは、開口部３０ａを介して連通接続されている。縦壁３０のうち左縁部、右縁部及び下縁部には、夫々、折れ曲がり部３０ｂが形成されている。
【００２７】
〔ガイド部材〕
図６から図８に示すように、ガイド部材２９は、右側壁２５よりも脱穀部１２の横側（右側）に出っ張り、かつ、後方に向かって開口する形状に形成されている。一の板状部材が折り曲げ形成されることにより、ガイド部材２９が上述の形状に形成されている。ガイド部材２９の後端開口のうち開口部３０ａに対応する部分以外の部分は、縦壁３０によって塞がれている。ガイド部材２９は、右側壁２５及び縦壁３０に対して着脱可能に構成されている。すなわち、ガイド部材２９は、開口部２５ａに対して着脱可能に構成されている。
【００２８】
ガイド部材２９には、上面部３１と、第一傾斜部３２（本発明に係る「傾斜部」に相当）と、第二傾斜部３３と、が備えられている。第一傾斜部３２は、平面視で前側ほど右側壁２５に近付くように傾斜している。第二傾斜部３３は、背面視（図８参照）で左下がりに傾斜している。
【００２９】
ガイド部材２９の前縁部には、前折れ曲がり部３４（本発明に係る「折れ曲がり部」に相当）が形成されている。前折れ曲がり部３４は、第一傾斜部３２の前縁部に形成されている。前折れ曲がり部３４は、右側壁２５に面合せされた状態でボルトＢ（本発明に係る「締結具」に相当）及びナットＮによって取り外し可能に締結されている。本実施形態では、ボルトＢによる前折れ曲がり部３４の締結箇所は、一箇所である。ボルトＢは、右側壁２５から右方に向かって突出している。すなわち、前折れ曲がり部３４は、右側壁２５に対して垂直な方向から締結するボルトＢによって、右側壁２５に取り外し可能に締結されている。
【００３０】
ガイド部材２９の後縁部には、後折れ曲がり部３５（本発明に係る「折れ曲がり部」に相当）が形成されている。後折れ曲がり部３５は、上面部３１の後縁部、第一傾斜部３２の後縁部及び第二傾斜部３３の後縁部に形成されている。後折れ曲がり部３５は、縦壁３０に面合せされた状態でボルトＢ及びナットＮによって取り外し可能に締結されている。本実施形態では、ボルトＢによる後折れ曲がり部３５の締結箇所は、一箇所である。ボルトＢは、後折れ曲がり部３５のうち第二傾斜部３３の後縁部に対応する部分を縦壁３０に取り外し可能に締結している。ボルトＢは、縦壁３０から前方に向かって突出している。すなわち、後折れ曲がり部３５は、右側壁２５に対して平行な方向から締結するボルトＢによって、縦壁３０に取り外し可能に締結されている。
【００３１】
ガイド部材２９の上縁部には、開口部２５ａの上縁部に差し込まれることによって、右側壁２５のうち開口部２５ａの上縁部に沿う部分に係止する係止部３６が設けられている。係止部３６は、上面部３１の左縁部に形成された折れ曲がり部分によって構成されている。係止部３６は、開口部２５ａの上縁部に差し込まれた状態（右側壁２５のうち開口部２５ａの上縁部に沿う部分に係止した状態）で上フレーム２６の近傍に位置している。係止部３６には、開口部２５ａの上縁部に差し込まれる差し込み部３６ａと、右側壁２５のうち開口部２５ａの上縁部に沿う部分の右側面に沿う前後一対の縁部３６ｂと、が備えられている。前後の縁部３６ｂは、差し込み部３６ａに対して前後に振り分け配置されている。
【００３２】
前後の縁部３６ｂが右側壁２５のうち開口部２５ａの上縁部に沿う部分の右側面に沿う状態で差し込み部３６ａが開口部２５ａの上縁部に差し込まれることにより、右側壁２５のうち開口部２５ａの上縁部に沿う部分が差し込み部３６ａと前後の縁部３６ｂとによって挟持されることになる。こうして、差し込み部３６ａが開口部２５ａの上縁部に差し込まれることによって、係止部３６が右側壁２５のうち開口部２５ａの上縁部に沿う部分に係止することになる。
【００３３】
ガイド部材２９の下縁部には、下折れ曲がり部３７（本発明に係る「折れ曲がり部」に相当）が形成されている。下折れ曲がり部３７は、第二傾斜部３３の下縁部に形成されている。下折れ曲がり部３７は、右側壁２５に面合せされた状態でボルトＢ及びナットＮによって取り外し可能に締結されている。本実施形態では、ボルトＢによる下折れ曲がり部３７の締結箇所は、二箇所である。ボルトＢは、右側壁２５から右方に向かって突出している。すなわち、下折れ曲がり部３７は、右側壁２５に対して垂直な方向から締結するボルトＢによって、右側壁２５に取り外し可能に締結されている。
【００３４】
〔別実施形態〕
（１）上記実施形態では、ガイド部材２９の上縁部に、係止部３６が設けられている。しかし、ガイド部材２９の上縁部に、本発明に係る「折れ曲がり部」が形成され、当該「折れ曲がり部」は、右側壁２５に面合せされた状態でボルトＢ及びナットＮによって取り外し可能に締結されていてもよい。
【００３５】
（２）上記実施形態では、前折れ曲がり部３４は、右側壁２５に面合せされた状態でボルトＢ及びナットＮによって取り外し可能に締結されている。しかし、ガイド部材２９の前縁部に、本発明に係る「係合部」が設けられていてもよい。
【００３６】
（３）上記実施形態では、下折れ曲がり部３７は、右側壁２５に面合せされた状態でボルトＢ及びナットＮによって取り外し可能に締結されている。しかし、ガイド部材２９の下縁部に、本発明に係る「係合部」が設けられていてもよい。
【００３７】
（４）上記実施形態では、前折れ曲がり部３４は、右側壁２５に対して垂直な方向から締結するボルトＢによって、右側壁２５に取り外し可能に締結されている。しかし、前折れ曲がり部３４は、右側壁２５に対して略垂直な方向から締結するボルトＢによって、右側壁２５に取り外し可能に締結されていてもよい。
【００３８】
（５）上記実施形態では、後折れ曲がり部３５は、右側壁２５に対して平行な方向から締結するボルトＢによって、縦壁３０に取り外し可能に締結されている。しかし、後折れ曲がり部３５は、右側壁２５に対して略平行な方向から締結するボルトＢによって、縦壁３０に取り外し可能に締結されていてもよい。
【００３９】
（６）上記実施形態では、二番還元装置２４は、脱穀装置８の右隣に設けられている。しかし、二番還元装置２４は、脱穀装置８の左隣に設けられていてもよい。
【産業上の利用可能性】
【００４０】
本発明は、全稈投入型コンバインの他、自脱型コンバインにも利用可能である。
【符号の説明】
【００４１】
８  脱穀装置
１２  脱穀部
１３  選別部
２４  二番還元装置
２５  右側壁（横側壁）
２５ａ  開口部
２９  ガイド部材
３２  第一傾斜部（傾斜部）
３４  前折れ曲がり部（折れ曲がり部）
３５  後折れ曲がり部（折れ曲がり部）
３６係止部
３７  下折れ曲がり部（折れ曲がり部）
Ｂ  ボルト（締結具）
【図１】
0006891251.tif 000002
【図２】
0006891251.tif 000003
【図３】
0006891251.tif 000004
【図４】
0006891251.tif 000005
【図５】
0006891251.tif 000006
【図６】
0006891251.tif 000007
【図７】
0006891251.tif 000008
【図８】
0006891251.tif 000009